(57)【要約】【課題】化粧カバー２が金属メッキを施したような可撓性の低いものであっても、カバー２のケース１への着脱を容易に行うことができる物体検知装置を提供する。【解決手段】検知波の検出により物体を検知する検知装置であって、電子部品４や光学部品３を収納する樹脂製ケース１と、これを覆う化粧カバー２とを備え、前記ケース１に可撓性の係止爪５が一体形成され、前記化粧カバー２に、前記係止爪５の先端に係止される係止突起６が一体形成されている。前記係止爪５には、前記係止突起６に押圧されて撓みながら係止突起６を係止爪５の先端へ向けて案内するガイド面５１が形成されている。【選択図】  図４
2004234451.tif 000002
【特許請求の範囲】
【請求項１】
検知波の検出により物体を検知する検知装置であって、
電子部品を収納する樹脂製ケースと、これを覆う化粧カバーとを備え、
前記ケースに、可撓性の係止爪が一体形成され、
前記化粧カバーに、前記係止爪の先端に係止される係止突起が一体形成され、
前記係止爪に、前記係止突起に押圧されて係止爪を撓ませながら係止突起を係止爪の先端へ向けて案内するガイド面が形成されている物体検知装置。
【請求項２】
請求項１において、前記ケースが、外部に取り付けられるベースと、このベースを覆う内カバーとを備え、この内カバーに前記係止爪が一体形成されている物体検知装置。
【発明の詳細な説明】
【０００１】
【発明の属する技術分野】
本発明は、自動ドアセンサや防犯用センサなどとして用いられる物体検知装置に関するものである。
【０００２】
【従来の技術】
従来のこの種の物体検知装置を図５，図６に示す。物体検知装置は、電子部品や光学部品が収納された細長い樹脂製ケース１０と、これに着脱可能に取り付けられる弾性変形可能な樹脂材料で形成された化粧カバー２０とを備え、前記ケース１０の両側壁の下部側には外方に突出する第１突起３０が、また、化粧カバー２０の両側壁の下部側には内方に突出し、前記第１突起３０に係止する第２突起４０がそれぞれ一体に形成されている。
【０００３】
前記ケース１０に化粧カバー２０を装着するときには、図５のように、ケース１０の上部に化粧カバー２０を嵌めて押し込む。これにより、化粧カバー２０が外方に弾性変形しながら、その第２突起４０がケース１０側の第１突起３０を乗り越えて、図６のように、第１突起３０の下面に係止され、ケース１０の外部を覆うように化粧カバー２０が装着される。また、前記ケース１０から化粧カバー２０を取り外すときには、化粧カバー２０の側壁の下端部を指または工具で外方に弾性変形させ、第１突起３０と第２突起４０の係止を解除して、化粧カバー２０をケース１０から上方に取り外す。
【０００４】
【発明が解決しようとする課題】
ところで、前記化粧カバー２０には、その意匠的価値を高めたり、周囲の色の調和などを目的として、表面に銀色などの金属メッキを施す場合がある。しかし、金属メッキを施すと、化粧カバー２０の可撓性が低下し、化粧カバー２０のケース１０への着脱が行い難くなる。
【０００５】
そこで、本発明は、化粧カバーに金属メッキを施した場合でも、化粧カバーのケースへの着脱を容易に行うことができる物体検知装置を提供することを目的とする。
【０００６】
【課題を解決するための手段】
上記目的を達成するため、本発明の物体検知装置は、電子部品を収納する樹脂製ケースと、これを覆う化粧カバーとを備え、前記ケースに、可撓性の係止爪が一体形成され、前記化粧カバーに、前記係止爪の先端に係止される係止突起が一体形成され、前記係止爪に、前記係止突起に押圧されて係止爪を撓ませながら係止突起を係止爪の先端へ向けて案内するガイド面が形成されている。
【０００７】
前記樹脂製ケースに化粧カバーを装着するときには、ケースの上部に化粧カバーを嵌めて押し込むことにより、化粧カバー側の係止突起がケース側に設けた係止爪を内方に撓ませ、かつ、係止爪のガイド面に沿って案内されながら係止爪の先端に係止されて、ケースの外部を覆うように化粧カバーが装着される。また、前記ケースから化粧カバーを取り外すときには、化粧カバーの下端部を手で強く持ち上げることで、係止突起が係止爪を内方に撓ませて係止爪から外れる。これにより、化粧カバーはケースから外方に取り外される。このように、樹脂製ケースに弾性変形可能な係止爪を設けて、この係止爪でカバーの係止を行うことにより、化粧カバーが金属メッキを施された可撓性の低いものであっても、化粧カバーのケースへの着脱を容易に行うことができる。
【０００８】
本発明の実施形態では、前記ケースが、外部に取り付けられるベースと、このベースを覆う内カバーとを備え、この内カバーに前記係止爪が一体形成されている。この構成によれば、化粧カバーをケースに上方から嵌め込む際に、ケースの上部を形成する内カバーの係止爪によって、化粧カバーの係止突起が嵌め込み動作の初期から下方に円滑に案内されるので、化粧カバーのケースへの装着が容易になる。
【０００９】
【発明の実施の形態】
以下、本発明にかかる物体検知装置の一実施形態を図面に基づいて説明する。
図１は本発明の物体検知装置の全体構造を示す正面図である。この物体検知装置は、ＡＢＳのような比較的柔軟な樹脂からなる細長いケース１と、これの上部および外周部を覆う樹脂製の化粧カバー２とを備え、この化粧カバー２がケース１に着脱可能に取り付けられている。
【００１０】
図２は、化粧カバー２を取り外して示す樹脂製ケース１の平面図である。このケース１は、光学部品３および電子部品４が取り付けられるベース１１と、これを上方から覆ってベース１１に固定される内カバー１２とを有している（図３、図４参照）  。この実施形態では、電子部品４の一部である一対の投、受光素子４１，４２と、これらに対向して配置されたレンズ体３３，３４とを一組としたユニットを２つ、ケース１内に配置し、図１の化粧カバー２の前壁に形成した開口窓２５から外部に臨ませている。
【００１１】
この物体検知装置では、前記各投光素子３１からレンズ体３３を経て出力される近赤外線のような検知波Ｐ１が，物体、例えば人体に当たって反射し、この反射波Ｐ２がレンズ体３４から受光素子４２へと入力され、検知回路４３からの出力により物体を検知する。この物体検知装置は能動型であるが、人体が発する遠赤外線を検知する受動型のものや、音波、マイクロ波などを利用したすべての物体検知装置に採用することができる。前記ベース１１には、これを、自動ドアの上方の無目、天井、建物の壁のような外部の支持部材に固定する複数の固定部１３が一体に形成されている。
【００１２】
図３，図４は物体検知装置の中央部分を省略して長手方向の両端部分を示す縦断面図であって、図３は樹脂製ケース１に化粧カバー２を装着する前の状態を、図４は化粧カバー２を装着した状態を示している。図３において、樹脂製ケース１の内カバー１２の両側壁１２ａの外面には、可撓性のある（柔軟な）舌状の係止爪５が一体に形成されており、一方、前記化粧カバー２の両側壁２ａの内面には、前記係止爪５の先端に係止する係止突起６が一体に形成されている。前記係止爪５は、その基部５ａが内カバー１２の上部に一体的に結合されており、側壁１２ａの外面に沿って下方へ延びている。係止爪５および係止突起６は、図２に示すように、ケース１および化粧カバー２の前後方向Ｘの中間部に形成されて、ほぼ同一の前後方向幅を有している。
【００１３】
前記係止爪５の前記突起６が当接する外面には、ガイド面５１が形成されている。このガイド面４１は、化粧カバー２をケース１に上方から嵌め込む際に、突起６により押圧されて係止爪５を内方のケース１、つまり内カバー１２の側壁１２ａ寄りに撓ませながら、突起６を前記係止爪５の先端に向けて案内する。この係止爪５およびガイド面５１は、上下方向の中間部がケース１の外側方に向かって突出した山形に形成されている。前記係止爪５は、樹脂製ケース１のベース１１側に形成することもできる。係止突起は先端部に丸みがあり、後述する化粧カバー２の取外しを容易にしている。
【００１４】
前記ケース１に化粧カバー２を装着するときには、ケース１の上部に化粧カバー２を嵌めて押し込む。これにより、化粧カバー２に設けた係止突起６が、ケース１に形成された舌状の係止爪５を内方に押圧して撓ませ、かつ、係止突起６が係止爪５のガイド面５１によって下方、つまりベース１１側へ案内されながら、図４のように、係止突起６が係止爪５の先端に係止されて、カバー２がケース１を覆うように装着される。
【００１５】
一方、前記ケース１から化粧カバー２を取り外すときには、化粧カバー２の側壁２ａの下端部を手で強く持ち上げると、係止突起６が係止爪５を内側へ撓ませて、係止爪５の先端から外れる。この係止爪５と係止突起６の係止状態を解除することにより、カバー２がケース１から外方（上方）に取り外される。以上のように、前記ケース１側に可撓性のある、つまり柔軟で弾性変形可能な係止爪５を設けて、この係止爪５で化粧カバー２のケース１への取付けを行うことにより、化粧カバー２が金属メッキを施された可撓性または柔軟性の低いものでも、カバー２のケース１への着脱が容易に行える。なお、前記化粧カバー２としては、ケース１に対して着脱するのに従来のように可撓性が要求されないので、樹脂製のものに限らず、金属製のものを用いることもできる。
【００１６】
また、ベース１１の上方に位置する内カバー１２に係止爪５が一体形成されているので、化粧カバー２をケース１に上方から嵌め込む際に、ケース１の上部を形成する内カバー１２の係止爪５によって、化粧カバー２の係止突起６が嵌め込み動作の初期から下方に円滑に案内されるので、化粧カバー２のケース１への装着が容易になる。
【００１７】
【発明の効果】
以上のように、本発明によれば、化粧カバーとして、例えば金属メッキを施したような可撓性の低いものを用いる場合でも、化粧カバーのケースへの着脱を容易に行うことができる。
【図面の簡単な説明】
【図１】本発明の物体検知装置の全体構造を示す正面図である。
【図２】化粧カバーを取り外して示す樹脂製ケースの平面図である。
【図３】物体検知装置の中央部分を省略して長さ方向両端部分を示す縦断面図であって、樹脂製ケースに化粧カバーを装着する前の状態を示している。
【図４】同じく、物体検知装置の長さ方向両端部分を示す縦断面図であって、化粧カバーを装着した状態を示している。
【図５】従来の物体検知装置の長さ方向両端部分を示す縦断面図であって、樹脂製ケースに化粧カバーを装着する前の状態を示している。
【図６】同じく、従来の物体検知装置の長さ方向両端部分を示す縦断面図であって、化粧カバーを装着した状態を示している。
【符号の説明】
１…樹脂製ケース、１１…ベース、１２…内ケース、２…化粧カバー、３…光学部品、４…電子部品、５…係止爪、５１…ガイド面、６…係止突起。
【図１】
2004234451.tif 000003
【図２】
2004234451.tif 000004
【図３】
2004234451.tif 000005
【図４】
2004234451.tif 000006
【図５】
2004234451.tif 000007
【図６】
2004234451.tif 000008